(57)【要約】      （修正有）【課題】立体感が得られ、照明が暗い場所でも作品の魅力を発揮できる切り絵を提供する。【解決手段】白色または有色のアート紙１を、所望の模様に切り抜いて制作した絵柄模様２を有するアート台紙３と、前記アート台紙３の紙の切り抜き絵柄模様２部分を除く裏面部分にスプレー糊からなる接着層３を設ける。前記切り抜き絵柄模２様部分と略一致する形状の彩色形状部材６を貼り付けて形成した採色用フィルム部材５と、前記アート台紙及び採色用フィルム部材５の裏面側に配設した透光性を有する乳白色のアクリル板部材７とを積層状態に重ね合わせる。さらに、前記額縁１１の裏面側に前記アート台紙４を額縁１１の表面側となるように収納設置し、額縁１１の裏面縁部に設けた複数の係止爪８で固定すると共に、上面に透光性を有する乳白色の半透光板部材１６が配設された照明装置の上面に着脱可能に配設した構成とした。【選択図】図２
0003173341.tif 000002
【実用新案登録請求の範囲】
【請求項１】
白色または有色のアート紙を、所望の模様に切り抜いて制作した絵柄模様を有するアート台紙と、前記アート台紙の紙の切り抜き絵柄模様部分を除く裏面部分にスプレー糊からなる接着層を設け、前記切り抜き絵柄模様部分と略一致する形状の彩色形状部材を貼り付けて形成した前記アート台紙の外形と一致する採色用フィルム部材と、前記アート台紙及び採色用フィルム部材の裏面側に配設した透光性を有する乳白色の半透光板部材とを積層状態に重ね合わせて、前記額縁の裏面側に前記アート台紙を額縁の表面側となるように収納設置し、額縁の裏面縁部に設けた複数の係止爪で固定すると共に、上面に透光性を有する乳白色の半透光板部材が配設された照明装置の上面に着脱可能に配設したことを特徴とする切り絵。
【請求項２】
前記彩色形状部材がグラスア−トフィルム、色彩和紙或いは色彩布地であることを特徴とする前記請求項１に記載の切り絵。
【請求項３】
前記照明装置は、上面開口部に透光性を有する半透光板部材である乳白色のアクリル板が配設された箱体と、該箱体の内部に装着された回路基板に配設した発光ダイオードの光源を使用したことを特徴とする前記請求項１に記載の切り絵。
【考案の詳細な説明】
【技術分野】
【０００１】
本考案は、白色又は有色アート紙を所望の模様に切り抜いて制作することで、切り抜き部分が作品絵として表現され得る切り絵に係り、特に、切り絵の背面部に照明装置を配設することで、ギャラリーでの展示が可能なこれまでにない新しい創作ができ、さまざまな色彩がおりなす色彩豊かな絵の魅力的な表現を可能とした切り絵に関するものである。
【背景技術】
【０００２】
例えば、現在創作されている切り絵は、紙を所望の模様に切り抜いて白色又は有色アート台紙に貼り合わせているものが一般的であり、紙の切り抜き技術およびアート台紙への貼り付け技術によって切り絵の作品が決定されるものである。
【０００３】
また、前記単調な美感を向上させるために、例えば特開２００１−３４７７９９号公報に開示されるように、前記アート紙等の紙材に代えて種類や色彩等を限定しない布材を用いて表現することにより、新しいイメージの切り絵を創作可能とすると共に、布材に腰の強さと張りを付与することによって、作品の立体感や作業性の向上を促し、且つ美しい仕上がりの切り絵を表示することができる切り絵の技術が開示されている。
【０００４】
また、特開２００７−２３００７２号公報に開示されているように、多くの手間を掛けずに模様自体に立体感を持たせることのできる切り絵本体及び装飾表示体を示すものが開示されている。
【０００５】
この技術は、一枚の平面材から、装飾の地にあたる部分を削除した切り絵本体に係る制作に関するものであって、模様を構成する上側にあるように見せたい部分と、下側にあるように見せたい部分との交差部の下側にあるように見せたい部分に、模様の色彩より濃い帯状の線を設け、必要に応じて前記帯状の線は、上側にあるように見せたい部分より遠ざかるほど色を淡くするようにしたものが開示されている。
【先行技術文献】
【特許文献】
【０００６】
【特許文献１】特開２００１−３４７７９９号公報
【特許文献２】特開２００７−２３００７２号公報
【考案の概要】
【考案が解決しようとする課題】
【０００７】
しかるに、この前記開示された発明の切り絵の制作技法は、白色又は黒色を含む単一の色彩若しくは模様が施された各種布材によって作成される切り絵本体とその一部又は全部を前記と同様な布材によって作成される配色片を、任意に張り合わせて表現される切り絵であって、前記した各布材に硬化性付与処理を施して乾燥させた後、各布材の裏面全面に接着芯を貼着して設け、更に下絵に沿って切り取った切り絵本体を台紙に貼着された配色片に貼り重ねて所望の絵柄を表示するようにしたものであり、切り絵の制作が面倒であり、一定の品質を備えた立体感の得られる切り絵とするには製作者の技量の優劣に左右されるという問題点があると共にギャラリーでの展示使用時には室内の照明が暗い場所では見る人になかなか作品の魅力を発揮させることが困難となっている。
【０００８】
本考案は、上記のような従来の問題を解決するためになされたもので、本考案は、ガラス板または透明アクリル板などの透明板部材の下面に配置される白色または有色のアート紙を、デザインカッターによって所望の模様に切り抜いて絵柄模様を制作することで形成されたアート台紙と、前記アート紙の切り抜き部分を除く裏面部分にスプレー糊などによる接着層を設け、前記アート台紙の外形と一致する形状の採色用フィルム部材に、前記アート台紙に形成した切り抜き部分と略一致する彩色形状部材を貼り付けると共に、前記透明板部材と、前記アート台紙と、彩色形状部材を貼り付けた採色用フィルム部材の裏面に重合する透光性を有する乳白色のアクリル板などの半透明板部材とを積層状態に重ね合わせ、これら各積層部材を額縁に収納すると共に、上面に透光性を有する乳白色のアクリル板などの半透明板部材が配設された照明装置の上面に配設し、ギャラリーでの展示使用時には前記照明装置を点灯することで、さまざまな色彩がおりなす影絵の魅力的な表現を可能とした切り絵を提供することを目的とするものである。
【課題を解決するための手段】
【０００９】
上記目的を達成するために、本考案の切り絵は、白色または有色のアート紙を、所望の模様に切り抜いて制作した絵柄模様を有するアート台紙と、前記アート台紙の紙の切り抜き絵柄模様部分を除く裏面部分にスプレー糊からなる接着層を設け、前記切り抜き絵柄模様部分と略一致する形状の彩色形状部材を貼り付けて形成した前記アート台紙の外形と一致する採色用フィルム部材と、前記アート台紙及び採色用フィルム部材の裏面側に配設した透光性を有する乳白色の半透光板部材を積層状態に重ね合わせて切り絵本体を構成し、前記額縁の裏面側に前記切り絵本体を額縁の表面側となるように収納設置し、額縁の裏面縁部に設けた回動自在の複数の係止爪で固定すると共に、上面に透光性を有する乳白色の半透光板部材が配設された照明装置の上面に着脱可能に配設したことを特徴とする。
【００１０】
この考案の請求項２は、前記請求項１における切り絵において、彩色形状部材がグラスア−トフィルム或いは色彩和紙であることを特徴とする。
【００１１】
この考案の請求項３は、前記請求項１における切り絵において、前記照明装置は、上面開口部に透光性を有する乳白色の半透光板部材として乳白色のガラス板又はアクリル板が配設された箱体の内部に装着された回路基板上面に配設した発光ダイオードの光源を使用したことを特徴とする。
【考案の効果】
【００１２】
本考案は、額縁の上面に配設した透明板部材の形状より僅かに小さい形状を有する白色または有色のアート紙を、所望の模様に切り抜いて絵柄模様を形成したアート台紙を制作するとともに、前記アート台紙の切り抜き部分を除く裏面部分にスプレー糊などのからなる接着層を設け、前記アート台紙の外形と一致する採色用フィルム部材と、前記採色用フィルム部材に前記切り抜き部分の絵柄模様と略一致する濃淡部分を有する形状の採色形状部材を貼り付けると共に、前記透明板部材、前記アート台紙、彩色形状部材を貼り付けた採色用フィルム部材の裏面に重合する半透光板部材である乳白色アクリル板材に積層状態に重ね合わせて前記額縁の裏面に設置し、額縁の枠部に設けた回動自在の複数の係止爪で固定すると共に、内部に光源を有し且つ上面に半透光板部材である乳白色のガラス板又はアクリル板が配設された照明装置の上面に配設した構成とすることで、ギャラリーでの展示使用時には前記照明装置を点灯することで、さまざまな色彩がおりなす影絵の魅力的な表現を可能とした切り絵を提供することが可能となり、切り絵が簡単に制作でき、製作者の技量の優劣に左右されることなく、一定の品質を備えた立体感の得られる切り絵とすることが可能となる効果を奏する。
【００１３】
更に、前記採色用フィルム部材に貼り付ける彩色形状部材をグラスア−トフィルム或いは色彩和紙としたり、前記採色用フィルム部材を複数枚重ね合わせて配置することで深みのある立体感を有す興味深い絵柄模様を制作できる効果がある。
【００１４】
更に又、前記切り絵本体を収納した額縁の底面に配設した照明装置の光源に発光ダイオードを使用したことにより、従来の照明器具に使用される電球やフィラメントを使用しないため軽量で、衝撃に強く長寿命であり光源は不要な紫外線や赤外線を含まない光が簡単に得られ、紫外線に敏感な文化財や芸術作品のように熱照射を嫌うものの照明に最適である。
【図面の簡単な説明】
【００１５】
【図１】本考案の実施の形態における切り絵を示す全体の斜視図。
【図２】本考案の実施の形態における切り絵を示す全体の斜視図におけるＡ−Ａ線断面図。
【図３】本考案の実施の形態における切り絵を額縁に収納する部材である上部枠材の斜視図。
【図４】本考案の実施の形態における切り絵を額縁に収納する部材である上部枠材の下側に設置されるアクリル樹脂などの透明板部材の斜視図。
【図５】本考案の実施の形態における切り絵を額縁に収納する黒色アート紙に切り抜き部を施し絵柄模様としたアート台紙の斜視図。
【図６】本考案の実施の形態における切り絵を額縁に収納する部材である彩色用フィルム部材に彩色形状部材を貼り付けた状態の斜視図。
【図７】本考案の実施の形態における彩色形状部材を貼り付けた彩色用フィルム部材の背面側に配設する透光性を有する乳白色の半透光板部材の斜視図。
【考案を実施するための最良の形態】
【００１６】
次に、本考案に係る切り絵の実施の形態について、図面を参照して説明する。なお、本考案の切り絵は、切り絵の絵柄を黒色のアート紙を切り抜いた状態に係る実施態様について説明するが、以下に説明する実施の形態に限定されるものではない。
【００１７】
本考案における切り絵は、黒色のアート紙１をデザインカッターで所望の絵柄に切り抜いて制作した絵柄模様２を有する矩形状のアート台紙３と、前記アート台紙３の切り抜き絵柄模様２部分を除く裏面部分にスプレー糊などの接着層４を設け、前記黒色のアート台紙３の外形と一致する採色用フィルム部材５に前記切り抜き絵柄模様２部分と略一致する形状の彩色形状部材６を貼り付けると共に、前記黒色のアート台紙３及び採色用フィルム部材５の裏面側に配設した透光性を有する乳白色の半透光板部材７をそれぞれ前記順序に積層状態に重ね合わせて切り絵本体を構成するもので、切り絵本体を上面に透光性を有する半透光板部材である乳白色のガラス板又はアクリル板９が配設された照明装置１０の上面に着脱可能に配設し、ギャラリー等での展示使用時には前記照明装置を点灯することで、さまざまな色彩がおりなす影絵の魅力的な表現をできるようにしたものである。
【００１８】
図１において、１１は正方形或いは長方形の矩形状の額縁で、額縁の背面側には段部１２が形成されており、前記段部１２には額縁１１開口の周囲に位置する枠部材１３及び透光板部材であるガラス或いはアクリル板材１４が配設されている。
なお、額縁の形状は矩形状に限らず円形形状・或いは多角形形状であってもよいことは勿論である。
【００１９】
前記透明のアクリル板材１４の下面側には、黒色のアート紙１に所望の風景・花・鳥獣等などからなる絵柄模様２をデザインカッター又はナイフなどで切り抜いた開口部２ａによって形成される絵柄模様２が形成された黒色地のアート台紙３が重ね合せられると共に、前記黒色のアート台紙３の裏面にはスプレー糊などの接着層４が設けられている。
【００２０】
前記接着層４の裏面には、前記切り抜き絵柄模様２部分と略一致する形状の濃淡機能を持たせる彩色形状部材６が貼り付けられた採色用フィルム部材５が配設されている。
【００２１】
前記採色用フィルム部材５を前記接着層３の裏面に重合接着し、且つ前記採色用フィルム部材５の裏面には、透光性を有する半透光板部材である乳白色のアクリル板材７を積層状態に重ね合わせて前記額縁１１の裏面段部１２に設置し、前記額縁１１の裏面側に収納し、前記額縁１１の枠部背面に回動自在に複数個所設けた係止爪８で固定することで、前記採色用フィルム部材５の色彩形状部材６がアート台紙３を切り抜いて形成した切り抜き開口部２ａに位置されて絵柄模様２に色彩を持たせた切り絵本体１５が完成する。
【００２２】
前記額縁１１に収納された切り絵本体１５は、表面を透光性を有する半透光板部材である乳白色のガラス板又はアクリル板１６で覆った照明装置１０の上面に着脱可能に装着されるようになっている。
【００２３】
前記照明装置１０は、上面開口部に透光性を有する半透光板部材である乳白色のガラス板又はアクリル板１６が配設された箱体９の内部に装着された回路基板１７上面に配設した発光ダイオード１８の光源を使用したものである。
内部回路基板１７に装着される発光ダイオード（ＬＥＤ）１８が組み込まれた照明装置１０は、電球やフィラメントを使用し無いため軽量で、衝撃に強く長寿命であり光源は不要な紫外線や赤外線を含まない光が簡単にえられ、紫外線に敏感な文化財や芸術作品のように熱照射を嫌うものの照明に最適である。
【００２４】
上記のように構成された本考案の切り絵は、額縁に収容配設した切り絵本体１５を前記額縁の裏面に設置した回動自在の複数個の係止爪８で複数個所を固定すると共に、上面に半透光性を有する乳白色のガラス板又はアクリル板１６が配設された照明装置１０の上面に配設した構成とすることで、ギャラリーでの展示使用時には前記照明装置を点灯することで、さまざまな色彩がおりなす影絵の魅力的な表現を可能とした切り絵を提供することが可能となり、切り絵が簡単に制作でき、製作者の技量の優劣に左右されることなく、一定の品質を備えた立体感の得られる切り絵とすることが可能となる効果を奏する。
【符号の説明】
【００２５】
１    アート紙
２    絵柄模様
３    アート台紙
４    接着層
５    彩色用フィルム部材
６    彩色形状部材
７    半透光板部材
８    半透光板部材
９    上面開口の箱体
１０  照明装置
１１  額縁
１２  段差部
１３  枠部材
１４  透光板部材
１５  切り絵本体
１７  回路基板
１８    発光ダイオード（ＬＥＤ）
【図１】
0003173341.tif 000003
【図２】
0003173341.tif 000004
【図３】
0003173341.tif 000005
【図４】
0003173341.tif 000006
【図５】
0003173341.tif 000007
【図６】
0003173341.tif 000008
【図７】
0003173341.tif 000009